(57)【特許請求の範囲】
【請求項１】
複数のキーを備え、上記キーを操作して空気調和機の本体に所定の運転制御信号を送信することによって空気調和機の本体の運転状態を制御する運転制御モードを有する空気調和機のワイヤレスリモートコントローラにおいて、
ワイヤレスリモートコントローラのみでチャイルドロックを実現するチャイルドロックモードを備え、
このチャイルドロックモードは、上記複数のキーのうちのあるキーを操作したときに上記空気調和機の本体の運転状態を変化させずに上記本体に応答音または応答光を出させるような特定の信号を上記本体に送信するモードであり、
上記特定の信号は上記運転制御信号以外の信号であることを特徴とする空気調和機のワイヤレスリモートコントローラ。
【請求項２】
請求項１に記載の空気調和機のワイヤレスリモートコントローラにおいて、
上記運転制御モードに入っているときには、上記キーを操作したときに上記本体に第１応答音または第１応答光を出させるような運転制御信号を出力するようになっている一方、
上記チャイルドロックモードに入っているときに上記本体に送信する上記特定の信号は、上記本体に上記第１応答音または第１応答光とは異なる第２応答音または第２応答光を出させる信号であることを特徴とする空気調和機のワイヤレスリモートコントローラ。
【請求項３】
請求項１に記載の空気調和機のワイヤレスリモートコントローラにおいて、
上記特定の信号は、上記空気調和機の本体に故障診断させる故障診断信号であることを特徴とする空気調和機のワイヤレスリモートコントローラ。
【請求項４】
請求項１に記載の空気調和機のワイヤレスリモートコントローラにおいて、
上記チャイルドロックモードに入っているときに、上記チャイルドロックモードに入っていることを表示する表示部を備えていることを特徴とする空気調和機のワイヤレスリモートコントローラ。
【発明の詳細な説明】
【０００１】
【発明の属する技術分野】
この発明は、空気調和機のコントローラに関し、特にチャイルドロックモードを有するコントローラに関する。
【０００２】
【従来の技術】
従来、この種の空気調和機のコントローラとしては、ファンヒータのコントローラがある。このコントローラは、ファンヒータ本体に伝送線で接続されている。そして、このコントローラのチャイルドロックスイッチをオンさせると、ロック信号が上記伝送線を介してファンヒータ本体に伝送される。すると、このファンヒータ本体はロック状態になって、コントローラからの運転制御信号を受けても運転状態が変化しなくなる。
【０００３】
また、いま１つの空気調和機のコントローラとしては、ワイヤレスリモコンがある。このワイヤレスリモコンが有する所定のキーを操作したときに、このワイヤレスリモコンはチャイルドロックモードに入る。そして、このチャイルドロックモードでは、上記ワイヤレスリモコンは、このワイヤレスリモコンのどのキーを操作したときにも空気調和機の本体に信号を送信しない。
【０００４】
【発明が解決しようとする課題】
しかしながら、上記従来の前者のコントローラでは、チャイルドロックを実現するためには、コントローラと本体との両方にチャイルドロックのための機構を設ける必要がある。即ち、コントローラにはロック信号送信部が必要であり、本体にはロック信号を受信したときにロック状態になるための機構が必要である。したがって、コントローラの機構だけでチャイルドロックを実現できない。したがって、チャイルドロック機構が複雑になる欠点がある。また、チャイルドロック機能を持たない空気調和機にチャイルドロック機能を追加することが難しいという欠点がある。
【０００５】
そこで、上記後者のワイヤレスリモートコントローラは、チャイルドロックモードでは空気調和機本体に信号を送信しないことによって、チャイルドロックを実現している。したがって、後者のコントローラは機構が簡単である。
【０００６】
しかし、この後者のコントローラは、キー操作をしたときに本体が受信音を発さないから、チャイルドロックモードに入っていることを子供に容易に感づかせることになる。そして、子供がチャイルドロックモードに入っていることを感づくと、チャイルドロックを解除しようとしていろいろなキーを操作し、チャイルドロックモードが解除されてしまうおそれがあるという問題がある。
【０００７】
そこで、この発明の目的は、チャイルドロックになっていることを子供に容易に感づかれず、かつ、簡単な機構でチャイルドロックを実現できる空気調和機のコントローラを提供することにある。
【０００８】
【課題を解決するための手段】
上記目的を達成するため、請求項１の発明の空気調和機のワイヤレスリモートコントローラは、複数のキーを備え、上記キーを操作して空気調和機の本体に所定の運転制御信号を送信することによって空気調和機の本体の運転状態を制御する運転制御モードを有する空気調和機のワイヤレスリモートコントローラにおいて、
ワイヤレスリモートコントローラのみでチャイルドロックを実現するチャイルドロックモードを備え、
このチャイルドロックモードは、上記複数のキーのうちのあるキーを操作したときに上記空気調和機の本体の運転状態を変化させずに上記本体に応答音または応答光を出させるような特定の信号を上記本体に送信するモードであり、
上記特定の信号は上記運転制御信号以外の信号であることを特徴としている。
【０００９】
従って、請求項１の発明によれば、チャイルドロックモードに入っているときには、キーを操作したときに特定の信号を上記本体に送信して、上記空気調和機の運転状態を変化させずに上記本体に応答音または応答光を出させる。このように、この発明によれば、チャイルドロックモードに入っているときでも、キーを操作すると本体から応答音または応答光が出るから、子供はロックモードに入っていることに容易に感づくことができない。従って、この発明によれば、子供によってチャイルドロックモードが解除されることを防ぐことができる。
【００１０】
また、この発明によれば、コントローラのキー操作によって、コントローラがチャイルドロックモードに入り、空気調和機の運転状態を変化させない特定信号だけを本体に送信するから、本体をロック状態にする必要がない。従って、コントローラの機構だけでチャイルドロックを実現できるから、チャイルドロック機構が簡単である。また、コントローラの改造もしくは交換だけで、チャイルドロック機能を持たない空気調和機にチャイルドロック機能を容易に追加できる。
【００１１】
また、請求項２の発明は、請求項１に記載の空気調和機のワイヤレスリモートコントローラにおいて、上記運転制御モードに入っているときには、上記キーを操作したときに上記本体に第１応答音または第１応答光を出させるような運転制御信号を出力するようになっている一方、上記チャイルドロックモードに入っているときに上記本体に送信する上記特定の信号は、上記本体に上記第１応答音または第１応答光とは異なる第２応答音または第２応答光を出させる信号であることを特徴としている。
【００１２】
したがって、請求項２の発明によれば、チャイルドロックモードに入っているときの第２応答音または第２応答光と運転制御モードに入っているときの第１応答音または第２応答光とが異なっている。したがって、このことを子供が知らない限り子供は上記第２応答音または第２応答光を認識してもチャイルドロックモードに入っていることを容易に知ることができないが、上記第２応答音または第２応答光を認識した大人はチャイルドロックモードに入っていることを容易に知ることができる。したがって、子供がコントローラをおもちゃにして遊んでいても、上記第２応答音または第２応答光が出力されている限り、大人はチャイルドロックモードに入っていることを認識でき、子供のいたづらで運転状態が急変する心配をしないで済む。
【００１３】
また、請求項３の発明は、請求項１に記載の空気調和機のワイヤレスリモートコントローラにおいて、上記特定の信号は、上記空気調和機の本体に故障診断させる故障診断信号であることを特徴としている。
【００１４】
したがって、請求項３の発明によれば、チャイルドロックモードに入っているときに、上記本体に出力する特定の信号として故障診断信号を利用している。したがって、コントローラのシンプル化を図ることができる。
【００１５】
また、請求項４の発明は、請求項１に記載の空気調和機のワイヤレスリモートコントローラにおいて、上記チャイルドロックモードに入っているときに、上記チャイルドロックモードに入っていることを表示する表示部を備えていることを特徴としている。
【００１６】
したがって、請求項４の発明によれば、子供がコントローラをおもちゃにして遊んでいても、大人はコントローラの表示部を一瞥すればコントローラがチャイルドロックモードに入っていることを確認できる。したがって、子供のいたづらで運転状態が急変する心配をしないで済む。
【００１７】
【発明の実施の形態】
以下、この発明を図示の形態により詳細に説明する。
【００１８】
図１に、この発明の空気調和機のコントローラの実施の形態としてのワイヤレスリモートコントローラ１と、このリモコン１によって運転状態が制御される空気調和機の室内機２を示す。このリモコン１は、複数のキー３，４，５…を備えている。また、室内機２は発振素子１１を有する。
【００１９】
運転制御モードでは、上記リモコン１のキー３,４,５…を操作して、室内機２に所定の運転制御信号を送信することによって、空気調和機の運転状態を制御することができる。また、上記室内機２は上記リモコン１からの運転制御信号を受信したときに、発振素子１１から第１応答音「ピッピッ」を出力するようになっている。
【００２０】
一方、このリモコン１のキー３とキー６とを同時に押すと、このリモコン１は運転制御モードからチャイルドロックモードに入る。そして、もう１度、キー３とキー６とを同時に押すと、リモコン１はチャイルドロックモードから運転制御モードに戻る。
【００２１】
上記チャイルドロックモードでは、上記リモコン１はキー３,４,５…のどのキーを押しても特定の信号を上記室内機２に送信する。この特定の信号は上記空気調和機の運転状態を変化させることがない。また、このリモコン１は、上記チャイルドロックモードに入ったときに、「ＣＬ」と表示する液晶表示部１０を備えている。なお、この液晶表示部１０は、運転制御モードでは温度を表示する。
【００２２】
ところで、上記室内機２はリモコン１から故障診断信号を受信すると、この故障診断信号が表す故障データを有しているとき(つまり故障時)には「ピー」という応答音を出力する。一方、上記室内機２は上記故障診断信号が表す故障データを有していないとき(つまり故障していない時)には「ピッ」という応答音を出力する。そして、この実施の形態では、上記特定の信号を上記室内機２に故障診断をさせる故障診断信号のうちの１つにした。
【００２３】
したがって、上記室内機２は上記リモコン１からの上記特定信号を受信したときに上記第１応答音「ピッピッ」と異なる第２の応答音「ピッ」もしくは「ピー」を出力する。つまり、故障していないときには「ピッ」を出力する一方、故障しているときには「ピー」を出力する。
【００２４】
上記構成のリモコン１と室内機２の動作を、図２と図３を参照しながら説明する。上記リモコン１は、動作オンスイッチ(図示せず)が押されると、まず、ステップＳ１で初期化される。次に、ステップＳ２に進み、キースキャンして、どのキーが押されているのかを確認する。次に、ステップＳ３に進み、チャイルドロックに入る(から出る)キー操作がなされた否かを判断し、上記キー操作がなされたと判断したときにステップＳ４に進み、なされなかったと判断したときにステップＳ５に進む。なお、この形態例では、チャイルドロックに入るキー操作は、チャイルドロックを解除するキー操作と同じである。ステップＳ４では、リモコン１がチャイルドロックモードに入っているか否かを判断し、入っていると判断したときにステップＳ８に進む一方、入っていないと判断したときにステップＳ５に進む。
【００２５】
ステップＳ５では、リモコン１は通常モードになる。この通常モードは運転制御モードと本来の故障診断モードとを含んでいる。そして、ステップＳ６に進み、室内機２に所定の運転制御信号もしくは故障診断信号を送信することとなる。
【００２６】
一方、ステップＳ８では、リモコン１はチャイルドロックモードになり、ステップＳ９に進んで、どのキーを押しても特定信号としての故障診断信号を室内機２に送信することとなる。
【００２７】
そして、ステップＳ７では、運転制御モードならば温度を液晶表示部１０に表示し、チャイルドロックモードならば「ＣＬ」を表示部１０に表示する。
【００２８】
一方、図３に示すように、室内機２は、ステップＳ１１で上記リモコン１から受信した受信データを解釈し、ステップＳ１２で上記受信データが故障診断信号か否かを判断する。そして、故障診断信号であると判断すればステップＳ１３に進み、故障診断信号ではないと判断すればステップＳ１４に進む。このステップＳ１４では、第１応答音「ピッピッ」を出力して、ステップＳ１５に進み、上記受信データを運転制御データに変換して、この制御データに基づいて空気調和機の運転を制御することとなる。
【００２９】
ステップＳ１３では、上記故障診断信号が表している故障データを持っているか否かを判断し、持っていると判断したならば、ステップＳ１６に進んで応答音「ピー」を出力する。一方、上記故障データを持っていないと判断したならば、ステップＳ１７に進んで応答音「ピッ」を出力する。
【００３０】
このように、この実施の形態によれば、リモコン１が、チャイルドロックモードに入っているときには、どのキーを操作したときにも特定の信号としての１つの故障診断信号を室内機２に出力して、室内機２の運転状態を変化させずに室内機２に故障診断音としての「ピッ」もしくは「ピー」を出力させる。従って、この形態によれば、チャイルドロックモードに入っているときでも、キーを操作すると室内機２から応答音が出るから、子供はロックモードに入っていることを容易に感づくことができない。したがって、この形態によれば、子供がチャイルドロックモードを解除してしまうことを防ぐことができ、子供のいたづらによる異常運転を防止できる。
【００３１】
また、この形態のリモコン１は、従来例と異なり、チャイルドロックモード時に室内機２をロック状態にする必要がないから、リモコン１の機構だけでチャイルドロックを実現できる。従って、チャイルドロック機構がシンプルである。したがって、コストアップを抑えることができる。また、コントローラの改造もしくは交換だけで、チャイルドロック機能を持たない空気調和機にチャイルドロック機能を容易に追加できる利点がある。
【００３２】
また、この形態のリモコン１によれば、リモコン１がチャイルドロックモードに入っているときの室内機２の第２応答音としての故障診断音「ピッ」もしくは「ピー」と、運転制御モードに入っているときの第１応答音「ピッピッ」とが異なっている。したがって、このことを子供が知らない限り子供は上記故障診断音を聞いても、運転状態が変えられたのではないことを容易に知ることができないが、上記故障診断音を聞いた大人は運転状態が変えられたのではないことを容易に知ることができる。したがって、子供がコントローラをおもちゃにして遊んでいても、上記故障診断音が出力されている限り、大人は空気調和機の運転状態が変えられたのではないことを認識でき、子供のいたづらで運転状態が急変する心配をしないで済む。
【００３３】
また、この形態のリモコン１は、チャイルドロックモードに入っているときに、上記室内機２に出力する特定の信号として故障診断信号を利用している。したがって、チャイルドロックモード時だけの専用の特定信号を設定する必要がないから、リモコン１の構成のシンプル化を図ることができる。したがって、コストダウンを図ることができる。
【００３４】
また、この形態のリモコン１は、上記チャイルドロックモードに入っているときに、上記チャイルドロックモードに入っていることを表す「ＣＬ」を表示する液晶表示部１０を備えているから、子供がリモコン１をおもちゃにして遊んでいても、大人は表示部１０の表示「ＣＬ」を一瞥すればリモコン１がチャイルドロックモードに入っていることを確認できる。したがって、子供のいたづらで運転状態が急変する心配をしないで済む。
【００３５】
尚、この実施の形態では、室内機２が第１応答音と第２応答音を出力するようにしたが、室内機２が第１応答音に替えて第１応答光を出力し、第２応答音に替えて上記第１応答光と異なる第２応答光を出力するようにしてもよい。
【００３６】
【発明の効果】
以上より明らかなように、請求項１の発明の空気調和機のワイヤレスリモートコントローラは、複数のキーを備え、上記キーを操作して空気調和機の本体に所定の運転制御信号を送信することによって空気調和機の本体の運転状態を制御する運転制御モードを有する空気調和機のワイヤレスリモートコントローラにおいて、ワイヤレスリモートコントローラのみでチャイルドロックを実現するチャイルドロックモードを備え、このチャイルドロックモードは、上記複数のキーのうちのあるキーを操作したときに上記空気調和機の本体の運転状態を変化させずに上記本体に応答音または応答光を出させるような特定の信号を上記本体に送信するモードである。
【００３７】
従って、請求項１の発明によれば、チャイルドロックモードに入っているときには、キーを操作したときに特定の信号を上記本体に送信して、上記空気調和機の運転状態を変化させずに上記本体に応答音または応答光を出させる。このように、この発明によれば、チャイルドロックモードに入っているときでも、キーを操作すると本体から応答音または応答光が出るから、子供はロックモードに入っていることに容易に感づくことができない。従って、この発明によれば、子供によってチャイルドロックモードが解除されることを防ぐことができる。
【００３８】
また、この発明によれば、コントローラのキー操作によって、コントローラがチャイルドロックモードに入り、空気調和機の運転状態を変化させない特定信号だけを本体に送信するから、本体をロック状態にする必要がない。したがって、コントローラの機構だけでチャイルドロックを実現できるから、チャイルドロック機構が簡単である。また、コントローラの改造もしくは交換だけで、チャイルドロック機能を持たない空気調和機にチャイルドロック機能を容易に追加できる。
【００３９】
また、請求項２の発明は、請求項１に記載の空気調和機のワイヤレスリモートコントローラにおいて、上記運転制御モードに入っているときには、上記キーを操作したときに上記本体に第１応答音または第１応答光を出させるような運転制御信号を出力するようになっている一方、上記チャイルドロックモードに入っているときに上記本体に送信する上記特定の信号は、上記本体に上記第１応答音または第１応答光とは異なる第２応答音または第２応答光を出させる信号である。
【００４０】
したがって、請求項２の発明によれば、チャイルドロックモードに入っているときの第２応答音または第２応答光と運転制御モードに入っているときの第１応答音または第１応答光とが異なっている。したがって、このことを子供が知らない限り子供は上記第２応答音または第２応答光を認識してもチャイルドロックモードに入っていることを容易に知ることができないが、上記第２応答音または第２応答光を認識した大人はチャイルドロックモードに入っていることを容易に知ることができる。したがって、子供がコントローラをおもちゃにして遊んでいても、上記第２応答音または第２応答光が出力されている限り、大人はチャイルドロックモードに入っていることを認識でき、子供のいたづらで運転状態が急変する心配をしないで済む。
【００４１】
また、請求項３の発明は、請求項１に記載の空気調和機のワイヤレスリモートコントローラにおいて、上記特定の信号は、上記空気調和機の本体に故障診断させる故障診断信号である。
【００４２】
したがって、請求項３の発明によれば、チャイルドロックモードに入っているときに、上記本体に出力する特定の信号として故障診断信号を利用している。したがって、コントローラのシンプル化を図ることができる。
【００４３】
また、請求項４の発明は、請求項１に記載の空気調和機のワイヤレスリモートコントローラにおいて、上記チャイルドロックモードに入っているときに、上記チャイルドロックモードに入っていることを表示する表示部を備えている。
【００４４】
したがって、請求項４の発明によれば、子供がコントローラをおもちゃにして遊んでいても、大人はコントローラの表示部を一瞥すればコントローラがチャイルドロックモードに入っていることを確認できる。したがって、子供のいたづらで運転状態が急変する心配をしないで済む。
【図面の簡単な説明】
【図１】  この発明の空気調和機のコントローラの実施の形態としてのワイヤレスリモコン１と室内機２とを示す模式図である。
【図２】  上記リモコン１の動作を説明するフローチャートである。
【図３】  上記室内機２の動作を説明するフローチャートである。
【符号の説明】
１…ワイヤレスリモコン、２…室内機、３,４,５,６…キー、１０…表示部。
【図１】
0003648796.tif 000002
【図２】
0003648796.tif 000003
【図３】
0003648796.tif 000004